(57)【要約】      （修正有）【課題】センサを測定器に装着する時に、安定状態でセンサの装着作業を行うことができるセンサ収納容器を提供する。【解決手段】複数枚のセンサ７が上方に積み重ねられた状態で収納された容器１において、センサ押出機構３は、付勢体によりセンサ押出機構側に付勢されたセンサのうち最も上側のセンサを、センサ排出口４から、その電極部１０を容器外に押し出す押出体６を有する構成とし、センサ押出機構には、押出体により容器外に押し出されるセンサがセンサ押出機構内に逆進することを防止する逆進防止体２２を設けた。【選択図】図２
2014126483.tif 000002
【特許請求の範囲】
【請求項１】
複数枚のセンサが上方に積み重ねられた状態で収納された上面側に開口部を有する容器と、この容器の開口部に設けられたセンサ押出機構と、前記容器内の下方においてセンサを前記センサ押出機構側に付勢する付勢体と、前記容器の上面側において前記センサ押出機構を開閉自在に覆う蓋と、を備え、
前記センサは、一端側に電極部、他端側に点着部を有する板状とし、
前記センサ押出機構は、前記付勢体によりこのセンサ押出機構側に付勢された前記センサのうち最も上側の前記センサを、このセンサ押出機構のセンサ排出口から、その電極部を前記容器外に押し出す押出体を有する構成とし、
前記センサ押出機構には、前記押出体により容器外に押し出される前記センサがこのセンサ押出機構内に逆進することを防止する逆進防止体を設けたセンサ収納容器。
【請求項２】
前記逆進防止体は、長板形状をした弾性体で、その一端側を、前記センサ押出機構に接続し、その他端側に設けたストッパをセンサに対して押し付ける構成とした請求項１に記載のセンサ収納容器。
【請求項３】
前記ストッパを、前記センサの前記電極部よりも他端側に押し付ける構成とした請求項２に記載のセンサ収納容器。
【請求項４】
前記ストッパは、前記センサが前記押出体によって、その点着部がこのストッパよりも前記センサ排出口側に押し出された状態では、その下面のセンサの前記電極部と前記点着部間に押し付けられる構成とした請求項２または３に記載のセンサ収納容器。
【請求項５】
前記ストッパは、前記センサ排出口側の面で、前記センサと当接する側に、前記センサを引っかける爪を設け、この爪は、前記センサに当接する側を、その上方側よりも前記センサ排出口側に向けて突出させた請求項２から４のいずれか一つに記載のセンサ収納容器。
【発明の詳細な説明】
【技術分野】
【０００１】
本発明は、たとえば血糖値を測定するセンサを収納するセンサ収納容器に関するものである。
【背景技術】
【０００２】
従来のセンサ収納容器は、複数枚のセンサが上方に積み重ねられた状態で収納された上面側に開口部を有する容器と、この容器の開口部に設けられたセンサ押出機構と、前記容器内の下方においてセンサを前記センサ押出機構側に付勢する付勢体と、前記容器の上面側において前記センサ押出機構を開閉自在に覆う蓋と、を備え、前記センサは、一端側に電極部、他端側に点着部を有する板状とし、前記センサ押出機構は、前記付勢体によりこのセンサ押出機構側に付勢された前記センサのうち最も上面側の前記センサを、このセンサ押出機構のセンサ排出口から、その電極部を前記容器外に押し出す押出体を有する構成となっていた。
【０００３】
そして、押出体をセンサ排出口側にスライドさせると、センサの一部が、センサ押出機構外に押し出された状態となり、この状態で、押し出されたセンサ部分を測定器に差し込み、センサを測定器に装着する構成となっていた（たとえば、下記特許文献１）。
【先行技術文献】
【特許文献】
【０００４】
【特許文献１】特開２００３−３４４４２４号公報
【発明の概要】
【発明が解決しようとする課題】
【０００５】
上記従来例における課題は、使い勝手が悪いということであった。
【０００６】
すなわち、上記従来例のセンサ収納容器は、使用者が、センサ押出機構の押出体をセンサ排出口側にスライドさせると、センサの一部がセンサ押出機構外に押し出された状態となり、この状態で、押し出されたセンサ部分を測定器に差し込み、センサを測定器に装着する。
【０００７】
この時、センサ押出機構外に押し出されたセンサがセンサ押出機構内へと逆進するのを防止するために、使用者は、容器上部の押出体を、たとえば左手の親指を用いて固定することとなる。そして、同じ左手の他の指を使って容器を保持した状態で、右手で持った測定器へのセンサ装着作業を実施する。
【０００８】
このように、左手の親指で容器上部の押出体を固定し、同じ手の他の指で容器を保持すると非常に不安定な状態となり、この不安定な状態でセンサの装着作業を行うことは難しく、使い勝手の悪いものであった。
【０００９】
そこで本発明は、使い勝手を良くすることを目的とする。
【課題を解決するための手段】
【００１０】
そしてこの目的を達成するために、複数枚のセンサが上方に積み重ねられた状態で収納された上面側に開口部を有する容器と、この容器の開口部に設けられたセンサ押出機構と、前記容器内の下方においてセンサを前記センサ押出機構側に付勢する付勢体と、前記容器の上面側において前記センサ押出機構を開閉自在に覆う蓋と、を備え、前記センサは、一端側に電極部、他端側に点着部を有する板状とし、前記センサ押出機構は、前記付勢体によりこのセンサ押出機構側に付勢された前記センサのうち最も上側の前記センサを、このセンサ押出機構のセンサ排出口から、その電極部を前記容器外に押し出す押出体を有する構成とし、前記センサ押出機構には、前記押出体により容器外に押し出される前記センサがこのセンサ押出機構内に逆進することを防止する逆進防止体を設けた構成とし、これにより所期の目的を達成することができる。
【発明の効果】
【００１１】
以上のように本発明のセンサ収納容器は、複数枚のセンサが上方に積み重ねられた状態で収納された上面側に開口部を有する容器と、この容器の開口部に設けられたセンサ押出機構と、前記容器内の下方においてセンサを前記センサ押出機構側に付勢する付勢体と、前記容器の上面側において前記センサ押出機構を開閉自在に覆う蓋と、を備え、前記センサは、一端側に電極部、他端側に点着部を有する板状とし、前記センサ押出機構は、前記付勢体によりこのセンサ押出機構側に付勢された前記センサのうち最も上側の前記センサを、このセンサ押出機構のセンサ排出口から、その電極部を前記容器外に押し出す押出体を有する構成とし、前記センサ押出機構には、前記押出体により容器外に押し出される前記センサがこのセンサ押出機構内に逆進することを防止する逆進防止体を設けた構成としたものであるので、使い勝手を良くすることができる。
【００１２】
すなわち、本発明においては、使用者が、まず容器の蓋を開放した後、この容器上面に現れた押出体を、センサ排出口側に向けて押すと、センサの電極がセンサ排出口外に押し出される。このとき、センサの電極とは反対側に逆進防止部が配置されるので、センサが容器内へと逆進することを防止できるものとなる。
【００１３】
したがって、センサを測定器に装着する時に、押出体を固定する必要が無いので、使用者は、全ての指を用いて容器の両側面をつかみ、容器を安定的に保持することができる。
【００１４】
その結果として、この安定状態でセンサの装着作業を行うことができるので、使い勝手を良くすることができるものとなる。
【図面の簡単な説明】
【００１５】
【図１】本発明の一実施形態に係るセンサ収納容器の斜視図
【図２】同、センサ収納容器の斜視図
【図３】同、センサ収納容器の要部断面図
【図４】同、センサ収納容器に収納されるセンサの分解斜視図
【図５】同、センサ収納容器の要部斜視図
【図６】同、センサ収納容器の要部斜視図
【図７】同、センサ収納容器の要部斜視図
【図８】同、センサ収納容器の要部斜視図
【図９】同、センサ収納容器の要部側面図
【発明を実施するための形態】
【００１６】
以下、本発明の一実施形態を、添付図面を用いて説明する。
【００１７】
（実施の形態１）
図１において、１は上面側に長方形の開口部２（図３）を有する直方体形状の容器で、この容器１の開口部２には、センサ押出機構３が、この開口部２を覆うように設けられている。このセンサ押出機構３は、前端側にセンサ排出口４と、その上面に設けた長方形上の開口部５と、この開口部５上方に取りつけられた押出体６とを有している。
【００１８】
この押出体６を、図１に示す状態から図２に示す状態へと、センサ排出口４側に、水平方向にスライドさせると、容器１内のセンサ７が、センサ排出口４から表出するようになっている。
【００１９】
図１に戻って、容器１の説明を続ける。
【００２０】
容器１は、センサ押出機構３を開閉自在に覆う蓋８を有し、この蓋８を、可撓性の接続部９により接続している。なお、容器１、蓋８、接続部９は、合成樹脂で一体成型されており、容器１を蓋８により閉成すると、容器１内は密封状態となる。
【００２１】
容器１内には、長板形状のセンサ７が、図３に示すように、その一端側に設けた電極部１０側を容器１のセンサ排出口４側にした状態で、上方に向けて重ねられた状態で収納されている。
【００２２】
このセンサ７の構成はよく知られた構成で、図４に示すように、長板形状の基板１１、スペーサ１２、カバー１３を積層させ、接着により一体化している。そして、一端側の電極部１０とは反対の他端側に点着部１４を設け、この点着部１４に血液を点着することにより、血液と試薬１５を反応させる構成となっている。
【００２３】
図３に戻って説明を続けると、容器１内には、重合されたセンサ７を容器１の上面のセンサ押出機構３側に付勢する付勢体１６が設けられ、この付勢体１６がセンサ台１７を介して、センサ７を開口部５側へと押し付けている。
【００２４】
なお、蓋８が閉成されて密封状態となった容器１内は、乾燥剤１８により乾燥させる。
【００２５】
センサ押出機構３の押出体６は直方体形状で、図１に示すように、その両側に設けた摺動部１９をセンサ押出機構３側面の摺動溝２０に摺動自在に係合させている。さらに、その下面側に設けた２個の押出突起２１を、開口部５から容器１内方向へと挿入させ、図５に示すように、最も上側に位置するセンサ７の点着部１４側の端部で、この点着部１４以外の部位に当接させている。
【００２６】
そして、使用者が、押出体６を、図１から図２に示す状態へと、センサ排出口４側にスライドさせると、２個の押出突起２１が、付勢体１６により付勢されたセンサ７の内、最も上側（センサ押出機構３側）のセンサ７を、センサ排出口４方向に、図５から図６に示す状態へと押し出す。センサ７は、その電極部１０側から、センサ排出口４を介してセンサ押出機構３外へと、半分ほど押し出されて静止する。
【００２７】
なお、図５は、図１の状態における押出体６とセンサ７の関係を示す図で、図６は、図２の状態における押出体６とセンサ７の関係を示す図となっている。
【００２８】
本実施形態における特徴点は、センサ押出機構３外へと押し出されたセンサ７がセンサ押出機構３内へと逆進するのを防止するために、図１、図２に示すように、センサ押出機構３に逆進防止体２２を設けたことである。
【００２９】
この逆進防止体２２は、長板形状をした弾性体で、その一端側の幅を広げ、センサ押出機構３の開口部５の周囲部で、センサ排出口４側に接着している。
【００３０】
さらに、逆進防止体２２の他端側には、図７、図８に示すように、センサ７に向かって垂下させたストッパ２３を設けている。このストッパ２３は、図１に示すように、開口部５から容器１内方向へと挿入され、開口部５でセンサ排出口４の上下方向に回動自在としているが、常時下方に弾性付勢力が付与されている。
【００３１】
なお、図７は、図１、図５の状態におけるストッパ２３とセンサ７の関係を示す図で、図８は、図２、図６の状態におけるストッパ２３とセンサ７の関係を示す図となっている。
【００３２】
そして、押出体６がスライドされる前で、図１に示すように、センサ排出口４とは反対側にある時には、図７に示すように、ストッパ２３は、センサ７の上面で、電極部１０よりも点着部１４側に、その弾性力により押し付けられている。
【００３３】
このため、ストッパ２３が電極部１０を傷つけることはない。
【００３４】
使用者が、押出体６を、図１から図２に示す状態へと、スライド（摺動）させると、押出体６によりセンサ７が押され、センサ７の点着部１４は、図７から図８に示す状態へと、ストッパ２３を通過するまで押し出される。
【００３５】
この図８の状態になる直前に、センサ７の点着部１４は、ストッパ２３を通り過ぎるので、センサ７の上面に押し付けられていたストッパ２３は、このセンサ７の下面側にあるセンサ７ａへと落下し、この下面側のセンサ７ａの電極部１０ａと点着部１４ａ間に押し付けられる。
【００３６】
すると、図９に示すように、このストッパ２３により、センサ７は、センサ押出機構３内への逆進路（矢印Ａとは反対方向への進路）が塞がれ、センサ押出機構３内に戻れなくなるのである。
【００３７】
センサ７の電極部１０は、図２に示すように、センサ排出口４から半分ほど表出した状態となる。このセンサ７は、ストッパ２３により逆進が防止されるとともに、センサ押出機構３内に残っている部分でセンサ押出機構３に保持されている。
【００３８】
ここで使用者は、例えば左手の全ての指を用いて容器１の両側面をつかむことにより、容器１を安定的に保持することができる。そして、センサ押出機構３のセンサ排出口４に保持されたセンサ７の電極部１０を、右手に持った測定器（図示せず）のセンサ挿入口（図示せず）に差し込むと、センサ７が測定器（図示せず）に装着されることとなる。
【００３９】
このように、左手の全ての指を用いて容器１を安定的に保持した状態でセンサの装着作業を行うことができるので、その結果として、使い勝手を良くすることができるものとなる。
【００４０】
またセンサ７を測定器（図示せず）に装着する時には、測定器（図示せず）の装着抵抗により、センサ７にはセンサ押出機構３内に押し戻す力が働くが、センサ７はストッパ２３によりセンサ押出機構３内への逆進が防止されているので、使用者は、安定的に静止したセンサ７を容易に測定器（図示せず）にすることができる。
【００４１】
なお、センサ７が、図７から図８に示す状態へと、ストッパ２３を通り過ぎる時には、上述のごとく、センサ７上面にあったストッパ２３は、このセンサ７からその下面側にあるセンサ７ａ上に落下する。この時、「パチッ」っと、落下音が鳴る。この落下音により、使用者は、ストッパ２３が下りたことを認識することができる。
【００４２】
さらに本実施形態においては、図９、図７に示すように、ストッパ２３は、センサ排出口４側の面で、センサ７と当接する側にセンサ７を引っかける爪２４を設けている。この爪２４は、センサ７に当接する側を、その上方側よりもセンサ排出口４側に向けて突出させている。
【００４３】
このため、センサ７の逆進を確実に防止できるものとなる。
【００４４】
すなわち、図４に示すように、センサ７の一番下の基板１１には、その点着部１４側に、血液の点着を容易にするための切欠部１１ａが設けられているが、図９に示すように、この切欠部１１ａに爪２４を引っかけることで、センサ７の逆進を確実に防止するのである。
【産業上の利用可能性】
【００４５】
以上のように本発明のセンサ収納容器は、複数枚のセンサが上方に積み重ねられた状態で収納された上面側に開口部を有する容器と、この容器の開口部に設けられたセンサ押出機構と、前記容器内の下方においてセンサを前記センサ押出機構側に付勢する付勢体と、前記容器の上面側において前記センサ押出機構を開閉自在に覆う蓋と、を備え、前記センサは、一端側に電極部、他端側に点着部を有する板状とし、前記センサ押出機構は、前記付勢体によりこのセンサ押出機構側に付勢された前記センサのうち最も上側の前記センサを、このセンサ押出機構のセンサ排出口から、その電極部を前記容器外に押し出す押出体を有する構成とし、前記センサ押出機構には、前記押出体により容器外に押し出される前記センサがこのセンサ押出機構内に逆進することを防止する逆進防止体を設けた構成としたものであるので、使い勝手を良くすることができる。
【００４６】
すなわち、本発明においては、使用者が、まず容器の蓋を開放した後、この容器上面に現れた押出体を、センサ排出口側に向けて押すと、センサの電極がセンサ排出口外に押し出される。このとき、センサの電極とは反対側に逆進防止部が配置されるので、センサが容器内へと逆進することを防止できるものとなる。
【００４７】
したがって、測定器にセンサを装着する時に、押出体を固定する必要が無いので、使用者は、全ての指を用いて容器の両側面をつかみ、容器を安定的に保持することができる。
【００４８】
その結果として、この安定状態でセンサの装着作業を行うことができるので、使い勝手を良くすることができるものとなる。
【００４９】
したがって、たとえば血糖値を測定するセンサを収納するセンサ収納容器として、広く活用が期待されるものである。
【符号の説明】
【００５０】
１  容器
２  開口部
３  センサ押出機構
４  センサ排出口
５  開口部
６  押出体
７  センサ
７ａ  センサ
８  蓋
９  接続部
１０  電極部
１０ａ  電極部
１１  基板
１１ａ  切欠部
１２  スペーサ
１３  カバー
１４  点着部
１４ａ  点着部
１５  試薬
１６  付勢体
１７  センサ台
１８  乾燥剤
１９  摺動部
２０  摺動溝
２１  押出突起
２２  逆進防止体
２３  ストッパ
２４  爪
【図１】
2014126483.tif 000003
【図２】
2014126483.tif 000004
【図３】
2014126483.tif 000005
【図４】
2014126483.tif 000006
【図５】
2014126483.tif 000007
【図６】
2014126483.tif 000008
【図７】
2014126483.tif 000009
【図８】
2014126483.tif 000010
【図９】
2014126483.tif 000011